(57)【特許請求の範囲】
【請求項１】
モーターを内蔵した本体と、該本体の中央下部に突設したモーター出力軸に着脱自在に連結された回転研磨盤と、該回転研磨盤を挟むように前記本体下部の両側に固定された平面誘導板とからなる木材平面仕上げ用研磨機において、前記平面誘導板は、適宜厚さの弾力性のある素材から形成され、本体中央側には前記回転研磨盤とは微小間隔を隔てた円弧面を形成し、前記回転研磨盤を中心に線対称に本体の底面両側に着脱自在に取付られると共に、前記回転研摩盤より高さを高くして前記回転研摩盤と加工物との間に微小段差を形成させたことを特徴とする木材平面仕上げ用研磨機。
【請求項２】
前記回転研磨盤は、円棒状のシャフトに中央を固定された円盤状の基台と、円盤状の基台に積層された適宜厚さのスポンジと、該スポンジに補強材を介して又は前記スポンジに直接接着された研磨材とからなる荒削り用回転研磨盤であることを特徴とする請求項１記載の木材平面仕上げ用研磨機。
【請求項３】
前記回転研磨盤は、円棒状のシャフトに中央を固定された円盤状の基台と、円盤状の基台に積層された円柱状のフエルトパフと、該フエルトパフに積層された保護材と、該保護材に接着された研磨材とからなる最終仕上げ用回転研磨盤であることを特徴とする請求項１記載の木材平面仕上げ用研磨機。
【発明の詳細な説明】
【０００１】
【発明の属する技術分野】
本発明は、木材等の加工物平面の荒削りから最終仕上げまで塗り物を一切使わず光沢を出すことができる木材平面仕上げ用研磨機に関する。
【０００２】
【従来の技術】
従来、手動用研磨機において、研磨材を取り付けるためのパッドが軌道運動と回転運動とのダブルアクションをするように構成されたランダムサンダ（商品名）が特開平８−２８１５４８号公報により公知となっている。
この種のランダムサンダは、図７に示すように、サンダ１０１において、パッド１１３がモータ軸１０２に偏心軸１０３、ベアリング１０８を介して取り付けられており、パッド１１３は偏心軸１０３に対し、ベアリング１０８内において内輪１０９と外輪１１２との間に生じている僅少な摩擦抵抗以外には何も抑制力を受けず、偏心軸１０３と同心の回転が可能となっている。
これらのランダムサンダは、底面は平らで回転・偏心運動研磨するが、平面誘導板がないため、研磨に限りがなく、安定を欠き、幅の狭い材や木口等の研磨は難しいものであった。
【０００３】
【発明が解決しようとする課題】
そこで、本発明は、木材等の加工物平面の荒削りから最終仕上げまでを平面誘導板により、回転研磨盤による水平移動研磨に安定性を有し、且つ仕上げが簡単である木材平面仕上げ用研磨機を提供することを目的とする。
【０００４】
【課題を解決するための手段】
そのために、本発明の木材平面仕上げ用研磨機は、モーターを内蔵した本体と、該本体の中央下部に突設したモーター出力軸に回転研磨盤のシャフトを嵌合して外周からシャフト止めビスを締め付けることにより着脱自在に連結された回転研磨盤と、該回転研磨盤を挟むように前記本体の両側に固定された平面誘導板とからなるものにおいて、前記平面誘導板は、適宜厚さのスポンジ、コルク、織布、不織布、フエルトパフ等の弾力性のある素材から形成され、本体中央側には前記回転研磨盤とは微小間隔を隔てた円弧面を形成し、前記回転研磨盤を中心に線対称に本体の底面両側に着脱自在に取付られると共に、前記回転研摩盤より高さを高くして前記回転研摩盤と加工物との間に微小段差を形成させたものである。
また、前記回転研磨盤は、円棒状の金属製シャフトに中央を固定された木材、合成樹脂、軽金属等からなる円盤状の基台と、円盤状の基台に積層されたポリエチレンフォームからなる適宜厚さのスポンジと、該スポンジに合成樹脂・硬木材からなる補強材を介して又は前記スポンジに直接接着されたサンドペーパーの研磨材からなる荒削り用回転研磨盤である。
さらに、前記回転研磨盤は、円棒状の金属製シャフトに中央を固定された木材、合成樹脂、軽金属等からなる円盤状の基台と、円盤状の基台に積層された円柱状のフエルトパフと、該フエルトパフに積層されたウール５０％以下、レーヨン５０％以下の織布又は不織布からなる保護材と、該保護材に接着されたサンドペーパーの研磨材とからなる最終仕上げ用回転研磨盤である。
【０００５】
【実施例】
次に、本発明の木材平面仕上げ用研磨機の一実施例を図面に基づいて説明すると、
図１に示すように、木材平面仕上げ用研磨機は、モーター１を内蔵した本体２と、該本体２の中央下部に突設したモーター出力軸３に着脱自在に連結された回転研磨盤４と、該回転研磨盤４を挟むように前記本体２の両側に固定された平面誘導板５とからなる。
さらに、本体２上部には、木材平面仕上げ用研磨機を操作するハンドル６を設け、ハンドル６の近傍にはモーター１のON/OFFをコントロールするメインスイッチ７や無段変速スイッチ８、逆回転スイッチ９等を配置する。
なお、モーター１は、回転研磨盤４のシャフト１０をモーター出力軸３内に嵌合して外周からシャフト止めビス１１を締め付けることにより、回転研磨盤４を着脱自在に連結することができ、荒削りから最終仕上げまで用途に応じて回転研磨盤４を交換することが出来る。
【０００６】
前記回転研磨盤４は、図２に示すように、円棒状の金属製シャフト１０に中央を固定された木材、合成樹脂、軽金属等からなる円盤状の基台１５と、円盤状の基台１５に積層されたポリエチレンフォームからなる適宜厚さのスポンジ１６と、該スポンジ１６に合成樹脂・硬木材からなる補強材１７を介して又は前記スポンジ１６に直接接着されたサンドペーパーの研磨材１８からなる荒削り用回転研磨盤４や、円棒状の金属製シャフト１０に中央を固定された木材、合成樹脂、軽金属等からなる円盤状の基台１５と、円盤状の基台１５に積層された円柱状のフエルトパフ１９と、該フエルトパフ１９に積層されたウール５０％以下、レーヨン５０％以下の織布又は不織布からなる保護材２０と、該保護材２０に接着されたサンドペーパーの研磨材１８とからなる最終仕上げ用回転研磨盤４がある。
前記シャフト１０の先端にはネジが切られており、円盤状の基台１５は、基台１５の中央に座金２１を介してナット２２で固定される。
なお、木材、合成樹脂、軽金属等の円盤状の基台１５には、必要に応じて、加熱防止として適宜間隔に孔を開けるが、その際にはスポンジ１６・フエルトパフ１９等の粘着を妨げないようにする。
【０００７】
前記平面誘導板５は、図３に示すように、適宜厚さのスポンジ、コルク、織布、不織布、フエルトパフ等の弾力性のある素材から形成され、本体２中央側には前記回転研磨盤４とは微小間隔tを隔てた円弧面１２を形成し、前記回転研磨盤４を中心に線対称に本体２の底面両側に適宜手段により取付られる。
なお、平面誘導板５の取付手段は、粘着テープ、糊付け、接着剤等により直接本体２に接着固定したり、バネを介して取付したり、布テープ、ネジ止め、真空吸着等により着脱自在に固定することができる。
平面誘導板５は、研磨の際、回転研磨盤４のスライド（上下、左右）の抵抗を無くし、スムーズな動きで作業がし易く、荒削りから仕上げまで水平を保つ役割を果たす。
なお、平面誘導板５と回転研磨盤４とは本体２に取付けた状態では、図４(a)の非作動時に示すように、均一高さではなく微小段差hができ、平面誘導板５がやや高く、回転研磨盤４がやや低くなっている。
したがって、平面誘導板５は、回転研磨盤４の異常くい込みを抑え、加熱を防ぐ。
【０００８】
このような構成からなる木材平面仕上げ用研磨機の使用操作について図面に基づいて説明する。
まず最初に、木材等の加工物の平面仕上げに合った回転研磨盤４を選択し、モーター出力軸３のシャフト止めビス１１を緩め、選択した回転研磨盤４のシャフト１０をモーター出力軸３内に嵌合してシャフト止めビス１１を締めて回転研磨盤４を固定する。
なお、回転研磨盤４や研磨材１８の交換で出来る平面誘導板５と回転研磨盤４の段差hや木材等の加工物の凹凸等は、「バネ」を取り付けることでムラなく研磨が出来る。
準備が終了したら、モーター１のメインスイッチ７をONして回転研磨盤４を回転させる。
【０００９】
そして、木材等の加工面に本体２の底部、すなわち平面誘導板５及び回転研磨盤４を載置して木材等の加工物を研磨する。
この時、図４(a)に示すように、木材等の加工物１３と回転研磨盤４との間には微小段差hが出来ているが、回転研磨盤４の回転によって真空状態になり、遠心力との作用で回転研磨盤４のスポンジ１６が適度に膨張し、図４(b)に示すように、微小段差hがなくなる。
したがって、木材等の加工物１３に木材平面仕上げ用研磨機の本体２が吸引された状態となって、平面誘導板５と回転研磨盤４とが水平となり、特別な方策を講じなくても正確な水平研磨を労せずに出来る。
このようにして、木材平面仕上げ用研磨機の回転研磨で一方にたおれた材の繊維を逆回転によってムラなく研磨する。
【００１０】
なお、木材等の加工物１３の多少の凹凸等を研磨する際は、図５に示すように、平面誘導板５の片面を取り外しをするか又は少し浮かしながら作業することによって、スムーズな研磨が出来る。
さらに、図６(a)に示すように、木材平面仕上げ用研磨機とは別に案内治具２３を設け、木材平面仕上げ用研磨機の本体２の長手方向に木材等の加工物１３の側面に当接する案内治具２３の平板状のガイド板１４を着脱可能又は回転可能に固定することにより、木口面等の鉋仕上げが難しい平面の最終仕上げが可能である。
【００１１】
【効果】
以上、詳述したように、本発明の木材平面仕上げ用研磨機は、木材等の加工物平面の荒削りから最終仕上げまでを平面誘導板によって、回転研磨盤による水平移動研磨に安定性を有し、且つ仕上げが簡単である。
また、平面誘導板がスポンジ等の弾力性素材（適度な硬度）のため、身体に与える振動が少ないし、研磨の際、最終仕上げまで木材等の加工物に傷をつけず、快適な作業が出来る。
さらに、回転研磨盤は、交換が可能であるから一台で荒削りから最終仕上げまで可能である。
平面誘導板は、研磨する部分以外の加工物にほぼ接地しているため、集塵機能取付には効果的である。
【図面の簡単な説明】
【図１】本発明の木材平面仕上げ用研磨機の正面図である。
【図２】本発明の回転研磨盤の(a)斜視図及び(b)断面図である。
【図３】本発明の木材平面仕上げ用研磨機の底面図である。
【図４】本発明の木材平面仕上げ用研磨機の(a)非作動時と(b)作動時の説明図である。
【図５】本発明の木材平面仕上げ用研磨機の平面誘導板を片方取り外した状態の拡大正面図である。
【図６】本発明の(a)木材平面仕上げ用研磨機に案内治具を取り付けた状態の説明図及び(b)案内治具の斜視図である。
【図７】従来のランダムサンダの要部断面図である。
【符号の説明】
１  モーター
２  本体
３  モーター出力軸
４  回転研磨盤
５  平面誘導板
６  ハンドル
７  メインスイッチ
８  無断変速スイッチ
９  逆回転スイッチ
１０  シャフト
１１  シャフト止めビス
１２  円弧面
１３  加工物
１４  ガイド板
１５  基台
１６  スポンジ
１７  補強材
１８  研磨材
１９  フエルトパフ
２０  保護材
２１  座金
２２  ナット
２３  案内治具
【図１】
0003664663.tif 000002
【図２】
0003664663.tif 000003
【図３】
0003664663.tif 000004
【図４】
0003664663.tif 000005
【図５】
0003664663.tif 000006
【図６】
0003664663.tif 000007
【図７】
0003664663.tif 000008